(57)【要約】【課題】簡易かつ精度良く作成することができる模型を提案する。【解決手段】対象物の輪郭を水平面により順次垂直方向に切り取った断面形状の板材による横板１４Ａ１、１４Ａ２、…に外周側よりスリットを設け、このスリットにより複数の柱材５Ａ〜５Ｃ、８Ａ〜８Ｆ、９Ａ〜９Ｃで外方よりこれら複数の横板１４Ａ１、１４Ａ２、…を挟持して保持する。またこの複数の柱材５Ａ〜５Ｃ、８Ａ〜８Ｆ、９Ａ〜９Ｃは、上端及び下端を、外方への変位を防止して保持部材２ｕ、２０Ａ１１により保持する。【選択図】図１
2013165920.tif 000002
【特許請求の範囲】
【請求項１】
模型であって、
前記模型の対象物の輪郭を水平面により順次垂直方向に切り取った断面形状の板材であって、外周に、中心に向かって延長する複数のスリットが設けられた複数の横板と、
垂直方向に延びる棒状の板材であって、前記複数の横板のスリットに対応するスリットを有し、前記横板のスリットに前記対応するスリットを差し込んで保持されることにより、前記複数の横板を外方より挟持して保持する複数の柱材と、
前記複数の柱材の下端に対応する複数のスリットを有し、当該複数のスリットに前記複数の柱材の下端を差し込むことにより、外方への変位を防止して、前記複数の柱材の下端を保持する下端側の保持部材と、
前記複数の柱材の上端に対応する複数のスリットを有し、当該複数のスリットに前記複数の柱材の上端を差し込むことにより、外方への変位を防止して、前記複数の柱材の上端を保持する上端側の保持部材と
を備える模型。
【請求項２】
前記複数の横板は、
前記対象物の上部側を表現する上部側の複数の横板と、
前記対象物の下部側を表現する下部側の複数の横板とであり、
前記複数の柱材は、
前記対象物の上部側を表現する上部側の複数の柱材と、
前記対象物の下部側を表現する下部側の複数の柱材とであり、
前記下端側の保持部材は、
前記下部側の複数の柱材について、前記複数の柱材の下端を保持し、
前記上端側の保持部材は、
前記上部側の複数の柱材について、前記複数の柱材の上端を保持し、
前記模型は、
さらに中間の保持部材を有し、
前記中間の保持部材は、
前記下部側の複数の柱材の上端に対応する複数の下部側のスリットを有し、当該複数の下部側のスリットに前記下部側の複数の柱材の上端を差し込むことにより、外方への変位を防止して、前記下部側の複数の柱材の上端を保持すると共に、
前記上部側の複数の柱材の下端に対応する複数の上部側のスリットを有し、当該複数の上部側のスリットに前記上部側の複数の柱材の下端を差し込むことにより、外方への変位を防止して、前記上部側の複数の柱材の下端を保持する
請求項１に記載の模型。
【発明の詳細な説明】
【技術分野】
【０００１】
本発明は、例えば電波塔等の模型に関する。
【背景技術】
【０００２】
従来、社寺、仏閣等の建築物をモチーフとした模型が提供されている。このような模型に関して、例えば、特許文献１には、建築物のシルエットを形成している上下方向の稜線を表現する中心軸と、この中心軸から放射状に広がる斜行面体とを備え、斜行面体を中央軸で組み合せて建築物の模型を作成する方法が提案されている。
【先行技術文献】
【特許文献】
【０００３】
【特許文献１】実開平７−１４６３号公報
【発明の概要】
【発明が解決しようとする課題】
【０００４】
しかしながら、特許文献１の作成方法では、中心軸で建築物のシルエットを形成している上下方向の稜線を表現しているので、中心軸を建築物のシルエットに合わせて切り込む必要がある。一方、中心軸は、模型を自立させるための構造的な柱である。このため、特許文献１の作成方法では、モチーフとなる建築物のシルエットが複雑になると、中心軸を製作する工程が複雑になるとともに、中心軸の切り込みが多くなることに伴い強度が低下し、組み上がった模型に歪みが生じ模型の精度が低下するといった問題があった。
【課題を解決するための手段】
【０００５】
本発明は、上述の課題に鑑みてなされたものであり、従来に比して簡易かつ精度良く作成することができる模型を提案することを目的とする。このため、本発明は、以下の技術的事項から構成される。
【０００６】
（１）  模型であって、
前記模型の対象物の輪郭を水平面により順次垂直方向に切り取った断面形状の板材であって、外周に、中心に向かって延長する複数のスリットが設けられた複数の横板と、
垂直方向に延びる棒状の板材であって、前記複数の横板のスリットに対応するスリットを有し、前記横板のスリットに前記対応するスリットを差し込んで保持されることにより、前記複数の横板を外方より挟持して保持する複数の柱材と、
前記複数の柱材の下端に対応する複数のスリットを有し、当該複数のスリットに前記複数の柱材の下端を差し込むことにより、外方への変位を防止して、前記複数の柱材の下端を保持する下端側の保持部材と、
前記複数の柱材の上端に対応する複数のスリットを有し、当該複数のスリットに前記複数の柱材の上端を差し込むことにより、外方への変位を防止して、前記複数の柱材の上端を保持する上端側の保持部材と
を備える模型。
【０００７】
（２）  前記複数の横板は、前記対象物の上部側を表現する上部側の複数の横板と、前記対象物の下部側を表現する下部側の複数の横板とであり、前記複数の柱材は、前記対象物の上部側を表現する上部側の複数の柱材と、前記対象物の下部側を表現する下部側の複数の柱材とであり、前記下端側の保持部材は、前記下部側の複数の柱材について、前記複数の柱材の下端を保持し、前記上端側の保持部材は、前記上部側の複数の柱材について、前記複数の柱材の上端を保持し、前記模型は、さらに中間の保持部材を有し、前記中間の保持部材は、前記下部側の複数の柱材の上端に対応する複数の下部側のスリットを有し、当該複数の下部側のスリットに前記下部側の複数の柱材の上端を差し込むことにより、外方への変位を防止して、前記下部側の複数の柱材の上端を保持すると共に、前記上部側の複数の柱材の下端に対応する複数の上部側のスリットを有し、当該複数の上部側のスリットに前記上部側の複数の柱材の下端を差し込むことにより、外方への変位を防止して、前記上部側の複数の柱材の下端を保持する。
【０００８】
（１）の模型は、対象物の輪郭を水平面により順次垂直方向に切り取った断面形状の板材である複数の横板を備え、この横板に外周側よりスリットを設け、このスリットに対して複数の柱材に設けられたスリットをかみ合わせて外方よりこれら複数の横板を複数の柱材により挟持して保持する。またこの複数の柱材は、上端及び下端が、外方への変位を防止して保持部材により保持される。
これにより建築物等の対象物の輪郭を複数の横板により表現し、柱材にはこれら複数の横板をかみ合わせるスリットを設けるだけなので、柱材の強度を損なうことがない。また、柱材の上端及び下端を、外方への変位を防止したので、柱材の上端及び下端が外側に開き模型全体が変形することを有効に回避して精度を確保することができる。更に横板と柱材のスリットをかみ合わせて、柱材の上下端を保持部材に保持するだけの簡易な作業によりに組み立てることができ、これらにより従来に比して簡易かつ精度良く作成することができる模型を提供することができる。
【０００９】
（２）の模型は、中間の保持部材を介して、対象物の上部側及び下部側を、それぞれ横板、柱材、柱材の上下端を保持する部材とにより表現することができ、これにより垂直方向に細長い建築物等の対象物についても、模型の強度を保ちつつ、簡易かつ精度良く作成することができる。また（２）の模型では、中間の保持部材を、上下の構造体を接続する接続機構として機能させて、かつ上下の構造に係る柱材の上下端を保持する部材を構成することができ、これにより簡易な構成で垂直方向に細長い建築物等の模型を簡易に組み立てることができる。
【発明の効果】
【００１０】
本発明によれば、簡易かつ精度良く作成することができる模型を提供することができる。
【図面の簡単な説明】
【００１１】
【図１】本発明の第１の実施の形態に係る模型を示す側面図である。
【図２】台座部分を示す平面図である。
【図３】主支柱を示す平面図である。
【図４】副の支柱を示す平面図である。
【図５】副の支柱の他の例を示す平面図である。
【図６】横板を示す平面図である。
【図７】図６に示す横板の上方の横板を示す平面図である。
【図８】図７に示す横板の上方の横板を示す平面図である。
【図９】最も第１展望台側の横板を示す平面図である。
【図１０】第１展望台の箇所に設けられる下から２番目の横板を示す図である。
【図１１】第１展望台の箇所に設けられる下から１１番目の横板を示す図である。
【図１２】第１展望台の箇所に設けられる最も上側の横板を示す図である。
【図１３】第１展望台より上の支柱を示す平面図である。
【図１４】第２展望台の箇所に設けられる最も下側の横板を示す図である。
【図１５】第２展望台の箇所に設けられる下から１４番目の横板を示す図である。
【図１６】第２展望台の箇所に設けられる最も上側の横板を示す図である。
【図１７】第２展望台の上に設けられる部材を示す図である。
【図１８】本発明の第２実施形態にかかる模型に適用される主支柱を示す平面図である。
【図１９】副の支柱を示す平面図である。
【図２０】副の支柱の他の例を示す平面図である。
【図２１】第１展望台の箇所に設けられる横板を示す図である。
【図２２】図２１の横板の上に配置される横板を示す図である。
【図２３】図２１の横板によるロック機構の説明に供する図である。
【図２４】図２２の横板によるロック機構の説明に供する図である。
【図２５】第１展望台より上の支柱を示す平面図である。
【図２６】本発明の第３実施形態の模型を示す斜視図である。
【図２７】図２６の模型の主支柱を示す平面図である。
【図２８】図２６の模型の副支柱を示す平面図である。
【図２９】他の副支柱を示す平面図である。
【図３０】図２６の模型の横板を示す図である。
【図３１】図３０の横板によるロック機構を示す図である。
【図３２】図２６の模型の下端部側を示す図である。
【図３３】図２６の模型における第１展望台の個所を詳細に示す図である。
【発明を実施するための形態】
【００１２】
以下、本発明の実施形態について詳述する。
【００１３】
〔第１実施形態〕
図１は、本発明の第１実施形態に係る模型を示す側面図である。この模型１は、台座部分２にタワー本体３が組み立てられる。ここで台座部分２は、金属板材を加工して箱形状に作成され、その上端面２ｕにタワー本体３が設けられる。
【００１４】
図２は、この台座部分２の上端面２ｕを示す平面図である。上端面２ｕには、中央に円形形状による貫通孔２Ｒが設けられる。模型１は、この上端面２ｕの貫通孔２Ｒ、後述する横板の貫通孔１５Ｒを貫通して円柱形状によるライトガイドが配置され、このライトガイドによりタワー本体３を照明する。ここでライトガイドは、棒状の透明部材により形成され、台座部分２の内部には、このライトガイドの端面に照明光を供給する照明機構が設けられる。これによりこの模型１は、この貫通孔２Ｒを介してタワー本体３を照明して臨場感を増大させる。
【００１５】
台座部分２の上端面２ｕには、この貫通孔２Ｒを囲んで、１２０度の角間隔でスリット４Ａ〜４Ｃが放射状に設けられる。ここでこれらのスリット４Ａ〜４Ｃは、それぞれタワー本体３の主支柱５Ａ〜５Ｃを保持するために設けられる。さらに上端面２ｕには、この主支柱５Ａ〜５Ｃに係る隣り合うスリット４Ａ〜４Ｃ間の１２０度の角間隔を、それぞれ等角間隔に４等分するように、スリット６Ａ〜６Ｆ、７Ａ〜７Ｃが放射状に設けられる。
【００１６】
ここでこれらのスリット６Ａ〜６Ｆ、７Ａ〜７Ｃのうち、スリット４Ａ〜４Ｃに隣接するスリット６Ａ〜６Ｆは、スリット４Ａ〜４Ｃに比して長さが短く形成され、それぞれタワー本体３の第１の副支柱８Ａ〜８Ｆを保持するために設けられる。またこの残りのスリット７Ａ〜７Ｃは、さらにスリット６Ａ〜６Ｆに比して長さが短く形成され、それぞれタワー本体３の第２の副支柱９Ａ〜９Ｃを保持するために設けられる。これらスリット４Ａ〜４Ｃ、６Ａ〜６Ｆ、７Ａ〜７Ｃは、それぞれ対応する主支柱５Ａ〜５Ｃ、第１及び第２の副支柱８Ａ〜８Ｆ、９Ａ〜９Ｃの台座部分２側に設けられた突片１０（図３〜図６参照）を差し込むことにより、これら対応する支柱５Ａ〜５Ｃ、８Ａ〜８Ｆ、９Ａ〜９Ｃの下側端部を保持する。これによりこの模型１では、各スリット４Ａ〜４Ｃ、６Ａ〜６Ｆ、７Ａ〜７Ｃの長さの設定により、支柱５Ａ〜５Ｃ、８Ａ〜８Ｆ、９Ａ〜９Ｃの誤った組み立てを防止する。またこのようなスリット４Ａ〜４Ｃ、６Ａ〜６Ｆ、７Ａ〜７Ｃにより各支柱の台座部分２側を保持することにより、台座部分２側において、各支柱が外方に変位しないようにして各支柱５Ａ〜５Ｃ、８Ａ〜８Ｆ、９Ａ〜９Ｃを保持する。
【００１７】
これにより台座部分２は、複数のスリット４Ａ〜４Ｃ、６Ａ〜６Ｆ、７Ａ〜７Ｃに、支柱５Ａ〜５Ｃ、８Ａ〜８Ｆ、９Ａ〜９Ｃの下端を差し込むことにより、外方への変位を防止して、これら複数の支柱５Ａ〜５Ｃ、８Ａ〜８Ｆ、９Ａ〜９Ｃの下端を保持する下端側の保持部材を構成する。
【００１８】
図３は、主支柱５Ａ〜５Ｃを示す平面図である。主支柱５Ａ〜５Ｃは、この模型１の対象物である建築物に関して、第１展望台までの垂直方向の輪郭構造である支柱構造と第１展望台の輪郭とを表現する柱材である。なお主支柱５Ａ〜５Ｃは、板状部材を加工して同一形状により形成される。主支柱５Ａ〜５Ｃは、先端側に向かうに従って徐々に幅狭となる帯状に形成され、台座部分２側端に、対応するスリット４Ａ〜４Ｃに差し込む突片１０が設けられる。これにより主支柱５Ａ〜５Ｃは、この突片１０を対応するスリット４Ａ〜４Ｃに差し込んで、外方に変位しないように台座部分２に保持される。また上方より見て台座部分２側が、断面三角形の各頂点に対応する部位にそれぞれ保持される。
【００１９】
主支柱５Ａ〜５Ｃは、このように断面三角形の各頂点に対応する部位に配置されて内側を向いて上方に延長する１辺に、一定のピッチで、スリット１１Ａ１、１１Ａ２、…、１１Ａ３２、１１Ａ３３が設けられる。ここでスリット１１Ａ１、１１Ａ２、…、１１Ａ３２、１１Ａ３３は、支柱５Ａ〜５Ｃに横板１４Ａ１〜１４Ａ３３を配置するために使用される。また主支柱５Ａ〜５Ｃは、第１展望台の外形形状に対応するように上端側が外方に広がるように形成され、符号Ａにより部分的に拡大して示すように、その上端に突片１２が設けられる。なおこの外方に広がる部位には、内側に段差が設けられ、この段差により後述する横板を一定の間隔だけ隙間を開けて積層して配置する。
【００２０】
図４及び図５は、それぞれ副支柱８Ａ〜８Ｆ、９Ａ〜９Ｃを示す平面図である。副支柱８Ａ〜８Ｆ、９Ａ〜９Ｃは、主支柱５Ａ〜５Ｃと同様に、第１展望台までの垂直方向の支柱構造を、第１展望台の輪郭と共に表現する柱材である。副支柱８Ａ〜８Ｆ、９Ａ〜９Ｃは、主支柱５Ａ〜５Ｃと同様に、板状部材を加工してそれぞれ同一形状により形成され、先端側に向かうに従って徐々に幅狭となる帯状に形成される。また台座部分２側端には、対応するスリット６Ａ〜６Ｆ、７Ａ〜７Ｃに差し込む突片１０が設けられる。副支柱８Ａ〜８Ｆ、９Ａ〜９Ｃは、この突片１０をそれぞれ対応するスリット６Ａ〜６Ｆ、７Ａ〜７Ｃに差し込んで台座部分２に配置される。また副支柱８Ａ〜８Ｆ、９Ａ〜９Ｃは、上方より見て、台座部分２側が主支柱５Ａ〜５Ｃの外周側先端を結んで形成される三角形形状の領域の内側にそれぞれ配置される。
【００２１】
また副支柱８Ａ〜８Ｆ、９Ａ〜９Ｃは、このように台座部分２に配置されて内側を向いて上方に延長する１辺に、主支柱５Ａ〜５Ｃと同一に、スリット１１Ａ１、１１Ａ２、…、１１Ａ３２、１１Ａ３３が設けられ、さらに第１展望台の外形形状に対応するように上端側が外方に広がるように形成され、その上端に突片１２が設けられる。模型１は、支柱５Ａ〜５Ｃ、８Ａ〜８Ｆ、９Ａ〜９Ｃのスリット１１Ａ１〜１１Ａ３３に横板１４Ａ１〜１４Ａ３３が配置される。なおこれら副支柱８Ａ〜８Ｆ、９Ａ〜９Ｃにあっても、第１展望台に係る部位には、内側に段差が設けられ、この段差により後述する横板を一定の間隔だけ隙間を開けて積層して配置する。
【００２２】
図６、図７、図８、図９は、第１展望台までの間で、これらの支柱５Ａ〜５Ｃ、８Ａ〜８Ｆ、９Ａ〜９Ｃに設けられたスリット１１Ａ１〜１１Ａ３３により保持される横板を示す図である。図６は、最も台座部分２側のスリット１１Ａ１により保持される横板１４Ａ１を示す図であり、図７は、続くスリット１１Ａ２により保持される横板１４Ａ２を示す図である。また図８は、台座部分２側より１９番目のスリット１１Ａ１９により保持される横板１４Ａ１９を示す図であり、図９は、最も第１展望台に近い側のスリット１１Ａ３３により保持される横板１４Ａ３３を示す図である。
【００２３】
横板１４Ａ１〜１４Ａ３３（図１参照）は、この模型１に係る対象物の輪郭を水平面により順次垂直方向に切り取った断面形状により、金属板材を加工して作成される。横板１４Ａ１〜１４Ａ３３は、最も台座部分２に近い側から上部に向かうに従って徐々に三角形形状から円形形状に外形形状が変化するように作成され、最も台座部分２側の横板１４Ａ１は、外形形状が三角形形状に作成され、最も第１展望台に近い側の横板１４Ａ３３は、外形形状が円形形状により作成される。横板１４Ａ１〜１４Ａ３３は、中央にライトガイドを挿通する貫通孔１５Ｒが設けられる。
【００２４】
また横板１４Ａ１〜１４Ａ３３は、それぞれ支柱５Ａ〜５Ｃ、８Ａ〜８Ｆ、９Ａ〜９Ｃに設けられたスリット１１Ａ１〜１１Ａ３３を外周側より差し込むスリット１７Ａ〜１７Ｂ、１８Ａ〜１８Ｆ、１９Ａ〜１９Ｃが放射状に設けられる。これにより横板１４Ａ１〜１４Ａ３３は、スリット１１Ａ１〜１１Ａ３３及びスリット１７Ａ〜１７Ｂ、１８Ａ〜１８Ｆ、１９Ａ〜１９Ｃを介して、外方より支柱５Ａ〜５Ｃ、８Ａ〜８Ｆ、９Ａ〜９Ｃにより挟持されて保持される。なおこれらのスリット１７Ａ〜１７Ｂ、１８Ａ〜１８Ｆ、１９Ａ〜１９Ｃは、台座部分２のスリット４Ａ〜４Ｃ、６Ａ〜６Ｆ、７Ａ〜７Ｃに対応して、台座部分２側では、主支柱５Ａ〜５Ｃに係るスリット１７Ａ〜１７Ｂが最も長く作成され、続いて支柱８Ａ〜８Ｆに係るスリット１８Ａ〜１８Ｆが長く作成される。スリット１７Ａ〜１７Ｂ、１８Ａ〜１８Ｆ、１９Ａ〜１９Ｃは、この長さの違いが台座部分２より遠ざかるに従って徐々に小さくなり、第一展望台の近傍では、ほぼ同一の長さにより作成される。
【００２５】
図１０〜図１２は、第１展望台の箇所に設けられる横板である第１展望台部材を示す図である。第１展望台の部位には、リング形状の金属板材による第１展望台部材２０Ａ１〜２０Ａ１２が、支柱５Ａ〜５Ｃ、８Ａ〜８Ｆ、９Ａ〜９Ｃに設けられた段差により、一定の間隔だけ隙間を開けて積層されて配置される。ここで図１０は、第１展望台の最も下側から２番目に配置される第１展望台部材２０Ａ２を示す図であり、図１１は、第１展望台の最も下側から１１番目に配置される第１展望台部材２０Ａ１１を示す図である。また図１２は、この図１１に示す第１展望台部材２０Ａ１１の真上である、第１展望台の最も上部に配置される展望台部材２０Ａ１２を示す図である。
【００２６】
展望台部材２０Ａ１〜２０Ａ１２は、金属板材により円盤形状に形成され、中央にライトガイドを挿通する円形形状による貫通孔１５Ｒが設けられる。なお最も上部に配置される展望材部材２０Ａ１２の貫通孔１５Ｒは、下側の展望台部材２０Ａ１〜２０Ａ１１に比して貫通孔１５Ｒが大径により作成される。展望台部材２０Ａ１〜２０Ａ１２のうち、最も下側の展望台部材２０Ａ１は、その直下の横板１４Ａ３３とほぼ同一に形成される。これに対して続く展望台部材２０Ａ２から１０番目の展望台部材２０Ａ１０は、徐々に大きさが大きくなっている点を除いて、展望台部材２０Ａ２（図１０）と同一に作成される。
【００２７】
最上部の展望台部材２０Ａ１２と、その下の展望台部材２０Ａ１１を除いて、展望台部材２０Ａ１〜２０Ａ１０は、それぞれ支柱５Ａ〜５Ｃ、８Ａ〜８Ｆ、９Ａ〜９Ｃを外周側より差し込むスリット１７Ａ〜１７Ｂ、１８Ａ〜１８Ｆ、１９Ａ〜１９Ｃが放射状に設けられる。これにより展望台部材２０Ａ１〜２０Ａ１０は、横板１４Ａ１〜１４Ａ３３と同様に、スリット１７Ａ〜１７Ｂ、１８Ａ〜１８Ｆ、１９Ａ〜１９Ｃを介して、外方より支柱５Ａ〜５Ｃ、８Ａ〜８Ｆ、９Ａ〜９Ｃにより挟持されて保持される。
【００２８】
これに対して最上部から２番目の展望台部材２０Ａ１１は、支柱５Ａ〜５Ｃ、８Ａ〜８Ｆ、９Ａ〜９Ｃの先端に設けられた突片１２を差し込むスリット２１が、一定の角間隔で設けられる。これにより模型１では、この第１展望台側についても、台座部分２側と同様に、各支柱５Ａ〜５Ｃ、８Ａ〜８Ｆ、９Ａ〜９Ｃの外方への変位を防止して、これら支柱５Ａ〜５Ｃ、８Ａ〜８Ｆ、９Ａ〜９Ｃの端部を保持する。
【００２９】
これらによりこの模型１は、スリット１１Ａ１〜１１Ａ３３及びスリット１７Ａ〜１７Ｂ、１８Ａ〜１８Ｆ、１９Ａ〜１９Ｃを介して、横板１４Ａ１〜１４Ａ３３、展望台部材２０Ａ１〜２０Ａ１０を外方より支柱５Ａ〜５Ｃ、８Ａ〜８Ｆ、９Ａ〜９Ｃにより挟持して保持する。これにより、所定の間隔で連続的に配置された横板１４Ａ１〜１４Ａ３３、展望台部材２０Ａ１〜２０Ａ１０により、モチーフである対象物の輪郭を表現できる。また、台座部分２の上端面２ｕ及び展望台部材２０Ａ１１に設けられたスリット４Ａ〜４Ｃ、６Ａ〜６Ｆ、７Ａ〜７Ｃ、２１により支柱５Ａ〜５Ｃ、８Ａ〜８Ｆ、９Ａ〜９Ｃの外方への変位を防止して横板１４Ａ１〜１４Ａ３３、展望台部材２０Ａ１〜２０Ａ１０の脱落を防止することができ、簡易な構成により組み立てることがきる。また支柱５Ａ〜５Ｃ、８Ａ〜８Ｆ、９Ａ〜９Ｃに設けられたスリット１１Ａ１〜１１Ａ３３により横板１４Ａ１〜１４Ａ３３、展望台部材２０Ａ１〜２０Ａ１０を位置決めして、放射状に配置した板状の部材による支柱５Ａ〜５Ｃ、８Ａ〜８Ｆ、９Ａ〜９Ｃにより保持することにより、精度良く位置決めして横板１４Ａ１〜１４Ａ３３、展望台部材２０Ａ１〜２０Ａ１０を保持することができ、これにより変形等を防止して精度良く作成することができる。
【００３０】
さらにこれら展望台部材２０Ａ１〜２０Ａ１１は、スリット１７Ａ〜１７Ｂ、１８Ａ〜１８Ｆ、１９Ａ〜１９Ｃ及び２１の内側に、一定の角間隔で、６つのスリット２２が設けられる。ここでこのスリット２２は、外方への変位を防止して、さらに上方の支柱２３（図１参照）を保持するために設けられる。
【００３１】
これにより展望台部材２０Ａ１１は、第１展望台までの下部の構造に関して、外方へ変位を防止して、複数の支柱５Ａ〜５Ｃ、８Ａ〜８Ｆ、９Ａ〜９Ｃの上端を、対応する複数のスリット２１により保持する保持部材を構成する。また展望台部材２０Ａ１１は、他の展望台部材２０Ａ２〜２０Ａ１０と共に、第１展望台より上部の構造に関して外方へ変位を防止して、複数の支柱２３の下端を、対応する複数のスリット２２により保持する上部側の保持部材を構成する。従って展望台部材２０Ａ１１は、下部構造に係る保持部材と上部構造に係る保持部材との機能を兼用する中間の保持部材を構成することになる。
【００３２】
最上部の展望台部材２０Ａ１２は（図１２）は、この下側の展望台部材２０Ａ１〜２０Ａ１１のスリット２２を上方より見て取ることができるように、中央の貫通孔１５Ｒが大径により作成される。
【００３３】
図１３は、この第１展望台より上側の構造に係る支柱２３を示す平面図である。支柱２３は、金属板材により形成され、上部に向かうに従って徐々に幅狭となり、かつ部分的に幅広となって第２展望台の輪郭を表現する帯形状により形成される。支柱２３は、突片２４が下端に設けられ、この突片２４が展望台部材２０Ａ２〜２０Ａ１１に設けられたスリット２２に差し込まれて展望台部材２０Ａ２〜２０Ａ１１に保持される。またこの突片２４をスリット２２に差し込んで配置した際に内側を向く１辺に、順次、スリット２５Ａ１〜２５Ａ１８が設けられる。模型１は、このスリット２５Ａ１〜２５Ａ１８に、順次、横板２６Ａ１〜２６Ａ１８が設けられる。また支柱２３は、先端に、突片２４Ａが設けられる。
【００３４】
図１４〜図１６は、この支柱２３に配置される横板を示す図である。図１４は、最も下側に配置される横板２６Ａ１を示す図であり、図１５は、下から１４番目の横板を示す図である。また図１６は、最も上側の横板を示す図である。横板２６Ａ１〜２６Ａ１８は、配置される部位に応じて大きさが異なる点を除いて、同一に作成される。すなわち横板２６Ａ１〜２６Ａ１８は、金属板材により円形形状に作成され、中央に貫通孔１５Ｒが設けられる。ここでこの第１展望台より上側の横板２６Ａ１〜２６Ａ１８に設けられる貫通孔１５Ｒは、後述するアンテナ部分に係る棒状部材を配置するために使用される。
【００３５】
横板２６Ａ１〜２６Ａ１８は、周囲に、支柱２３のスリット２５Ａ１〜２５Ａ１８に対応するスリット２７が設けられ、これによりスリット２５Ａ１〜２５Ａ１８にスリット２７を差し込んで支柱２３により周囲から挟持されて保持される。
【００３６】
図１７は、最上部の横板を示す図である。最上部の横板３０は、金属板材により円形形状に作成され、中央に貫通孔１５Ｒが設けられる。また支柱２３の先端の突片２４Ａを差し込むスリット３１が配置され、これにより横板３０は、支柱２３の上端を、外方への変位を防止して保持する上端側の保持部材を構成する。
【００３７】
これによりこの模型１では、対象物の上部側を表現する構造体と下部側を表現する構造体に分離して、それぞれ横板、支柱の組み合わせにより作成することにより、上部側及び下部側の各部について、従来に比して簡易かつ精度良く作成することができる。またこのように上部及び下部に分離してそれぞれ横板、支柱を適用したことにより、建築物等の模型について、簡易かつ精度良く作成することができる。
【００３８】
模型１（図１）は、この最上部の横板３０まで組み立てた状態で、横板３０、２６Ａ１〜２６Ａ１８に設けられた貫通孔に棒状の部材３２が差し込まれて保持され、この棒状の部材３２の、最上部の横板３０より突出する部位に、アンテナを表現する円筒形状の部材３３、３４、３５、リング状の部材３６等を順次配置して作成される。
【００３９】
この実施形態の模型では、対象物の輪郭を水平面により順次垂直方向に切り取った断面形状の板材による横板を、スリットを介して複数の柱材で外方より挟持して保持し、この複数の柱材の上端及び下端を、外方への変位を防止して台座部分の上端面、保持部材により保持することにより、簡易かつ精度良く模型を作成することができる。また充分な強度を確保して変形を防止することができる。
【００４０】
すなわちこのようにスリットを介して、横板と柱材とを組み合わせる場合には、スリットの噛み合わせにより横板を位置決めして柱材により保持することができ、これにより精度を確保することができる。また単にスリットをかみ合わせて横板の周囲より柱材で挟持することにより、組み立て作業を簡略化することができる。これらにより簡易かつ精度良く模型を作成することができる。またこのようにスリットを介して、横板と柱材とを組み合わせる場合にあっては、スリットの噛み合わせにより変形を防止して充分な強度を確保することも可能となる。これにより充分な強度を確保して変形を防止することができる。
【００４１】
またこの実施形態では、第１展望台の上部を境にして、モチーフである建築物を上部と下部とに分割して表現し、それぞれスリットを介して横板と柱材とを組み合わせて模型を作成することにより、垂直方向に細長い建築物であっても、簡易な組み立て作業により作成することができる。
【００４２】
またこのようにして模型を上部と下部とに分割するようにして、上部側の柱材の端部の保持部材と下部側の柱材の端部の保持部材とに、中間の横板を兼用することにより、上部と下部とを簡易かつ充分に接続して組み立てることができ、これによっても一段と簡易かつ精度良く建築物等の模型を作成することができる。
【００４３】
またこの実施形態では、横板と柱材とはスリットを有する板材として形成できる限り、特に材質は限定されない。例えば、横板と柱材は、金属製、樹脂製、ガラス製、陶器製等、その他の材料で形成できる。また、実施形態では、横板と柱材とをステンレス製とすることで、模型全体から生ずる質感を向上できる。また、横板と柱材とを鏡面仕上げされたステンレス製とすることで、模型の中心に設けた円柱形状によるライトガイドから生ずる光や、模型の周囲の光が横板と柱材とに写り込み、模型全体から生ずる質感を更に向上できる。さらにこの実施形態では、モチーフである対象物の形態に応じて、横板と柱材の一部を他の部とは異なる材質で形成してもよい。これにより、模型の表現力が向上する。
【００４４】
〔第２実施形態〕
図１８〜図２０は、図３〜図５との対比により、本発明の第２実施形態の模型に適用される支柱を示す平面図である。この実施形態に係る模型は、この支柱４５Ａ〜４５Ｃ、４８Ａ〜４８Ｆ、４９Ａ〜４９Ｃに関する構成、後述する第１展望台より上方向の支柱に関する構成が異なる点を除いて、第１実施形態の模型１と同一に構成される。
【００４５】
ここで支柱４５Ａ〜４５Ｃ、４８Ａ〜４８Ｆ、４９Ａ〜４９Ｃは、それぞれ支柱５Ａ〜５Ｃ、８Ａ〜８Ｆ、９Ａ〜９Ｃに代えて設けられ、第１展望台より上側の部位を除いて、それぞれ支柱５Ａ〜５Ｃ、８Ａ〜４８Ｆ、９Ａ〜９Ｃと同一に構成される。これに対して第１展望台の部位は、下側の部位から直線状に内側が延長し、当該第１展望台の部位に配置される横板を保持するためのスリット１１Ａ３４〜１１Ａ４３が設けられる。
【００４６】
これらの支柱４５Ａ〜４５Ｃ、４８Ａ〜４８Ｆ、４９Ａ〜４９Ｃのうち、台座部分２のスリット４〜４Ｃに配置される支柱４５Ａ〜４５Ｃは、図１８（ｂ）に部分的に拡大して示すように、上端部に突起５２Ａが設けられる。ここでこの突起５２Ａは、内側面が根元側で外方側に屈曲するように作製されることにより、根元部分が幅狭に形成され、この実施形態では、この幅狭の構成を利用して第１展望台の部位を境にした上下で、支柱の脱落を防止する。以下、この支柱の脱落を防止する構成をロック機構と呼ぶ。
【００４７】
これに対して台座部分２のスリット６Ａ〜６Ｆに配置される支柱４８Ａ〜４８Ｆは、図１９（ｂ）に部分的に拡大して示すように、上端部に突起５２Ｂが設けられる。ここでこの突起５２Ｂは、上端よりほぼ一定幅により突出するように作成される。残りの支柱４９Ａ〜４９Ｃは、図２０（ｂ）に部分的に拡大して示すように、同様に上端部に突起５２Ｃが設けられる。ここでこの突起５２Ｃは、上端よりほぼ一定幅により突出するように作製され、さらにこの突出した箇所に矩形の開口５３が設けられる。この模型１は、この開口５３を使用してロック機構を構成する。
【００４８】
図２１及び図２２は、このロック機構に関する横板を示す平面図である。この実施の形態では、第１展望台に１３枚の横板が配置される。この図２１及び図２２は、この１３枚の横板のうちの、上から２番目及び３番目の横板５５Ａ１２及び５５Ａ１１である。これら１３枚の横板のうちの、最も下側に配置される横板５５Ａ１は、第１実施形態における横板２０Ａ１と同一に構成される。また残りの横板５５Ａ２〜５５Ａ１０は、第１実施形態について上述した横板２０Ａ２〜２０Ａ１０と同一に構成される。従ってこれら横板５５Ａ２〜５５Ａ１０は、支柱４５Ａ〜４５Ｃ、４８Ａ〜４８Ｆ、４９Ａ〜４９Ｃに対応してスリットが設けられ、またさらに上方の支柱の先端を差し込むスリットが設けられる。
【００４９】
これに対して上から３番目の横板５５Ａ１１は、支柱４５Ａ〜４５Ｃ、４８Ａ〜４８Ｆ、４９Ａ〜４９Ｃの先端の突起５２Ａ〜５２Ｃに対応して、略矩形形状の開口５６Ａ〜５６Ｃ、５７Ａ〜５７Ｆ、５８Ａ〜５８Ｃが放射状に設けられる。これにより横板５５Ａ１１は、開口５６Ａ〜５６Ｃ、５７Ａ〜５７Ｆ、５８Ａ〜５８Ｃに、それぞれ対応する支柱４５Ａ〜４５Ｃ、４８Ａ〜４８Ｆ、４９Ａ〜４９Ｃの突起５２Ａ〜５２Ｃを差し込んで支柱４５Ａ〜４５Ｃ、４８Ａ〜４８Ｆ、４９Ａ〜４９Ｃに配置した状態で、開口５６Ａ〜５６Ｃ、５７Ａ〜５７Ｆ、５８Ａ〜５８Ｃの円周方向の大きさ（幅）の分だけ、円周方向に回動できるように保持される。
【００５０】
ここで根元部分が幅狭に作製されている突起５２Ａに対応する開口５６Ａ〜５６Ｃは、中央側の隅部に突部が設けられる。これにより図２３に示すように、支柱４５Ａ〜４５Ｃ、４８Ａ〜４８Ｆ、４９Ａ〜４９Ｃの突起５２Ａ〜５２Ｃを対応する開口５６Ａ〜５６Ｃ、５７Ａ〜５７Ｆ、５８Ａ〜５８Ｃに差し込んで支柱４５Ａ〜４５Ｃ、４８Ａ〜４８Ｆ、４９Ａ〜４９Ｃに配置した状態で、矢印Ａにより示すように、上方から見て時計方向に横板５５Ａ１１を回動させると、この隅部に設けられた突部が幅狭となった突起５２Ａの根元部分と噛み合い、これにより、支柱４５Ａ〜４５Ｃ、４８Ａ〜４８Ｆ、４９Ａ〜４９Ｃが抜け落ちて脱落しないように、これら支柱４５Ａ〜４５Ｃ、４８Ａ〜４８Ｆ、４９Ａ〜４９Ｃを保持する。
【００５１】
さらに横板５５Ａ１１は、これらの開口５６Ａ〜５６Ｃ、５７Ａ〜５７Ｆ、５８Ａ〜５８Ｃの内側に、さらに開口２２Ａが放射状に配置される（図２１）。ここでこの開口２２Ａは、図１１について上述した横板２０Ａ１１のスリット２２に対応する開口であり、この横板５５Ａ１１より上方に配置される支柱６４（図２３参照）を保持するために設けられる。この開口２２Ａは、外周側の隅部に突部が設けられ、これにより支柱６４が抜け落ちないように支柱６４を保持して、支柱６４の脱落を防止する。
【００５２】
図２２は、続いて配置される横板を示す平面図及び側面である。この横板５５Ａ１２は、副の支柱４８Ａ〜４８Ｃに対応する箇所に、突片５９Ａ〜５９Ｃが設けられる。ここでこの突片５９Ａ〜５９Ｃは、下方に延長し、その先端がほぼ９０度の角度により折れ曲がった後、元の方向に９０度より小さな角度で折れ曲がるように作製される。これにより突片５９Ａ〜５９Ｃは、図２４に示すように、下の横板５５Ａ１０を回動させて脱落しないように支柱を保持した状態で、上方より持ち来たした後、位置決めして下方向に押圧することにより、先端が撓んで下の横板５５Ａ１０に設けられた対応する開口５８Ａ〜５８Ｃに挿入され、その後、支柱４９Ａ〜４９Ｃの先端に設けられた開口５３に先端が引っ掛かるように作製される。これにより突片５９Ａ〜５９Ｃは、この先端により支柱４９Ａ〜４９Ｃを反時計方向に押圧して、下に設けられた横板５５Ａ１１の反時計方向の回転を防止し、支柱の脱落を防止する。またさらに先端を開口５３に引っ掛けて、これによっても支柱の脱落を防止する。
【００５３】
なおこの実施形態の模型は、この横板５５Ａ１２の上に、第１実施形態について上述した横板２０Ａ１２と同一形状による横板５５Ａ１２が配置される。
【００５４】
図２５は、これら第１展望台より上方の支柱を示す平面図である。この実施形態の模型は、支柱２３に代えて、この図２５に示す支柱６４が適用される。ここでこの支柱６４は、突片２４の根元のスリット２５Ａ１について、このスリット２５Ａ１が設けられている側と逆側に凹部６４Ａが設けられる。支柱６４は、この凹部６４Ａが、横板５５Ａ１１（図２１）の開口２２Ａに設けられた突部と噛み合い、これにより横板５５Ａ１１を反時計方向に回転させて下側の支柱４５Ａ〜４５Ｃ、４８Ａ〜４８Ｆ、４９Ａ〜４９Ｃを脱落しないように保持すると、同時に、上方の支柱６４についても脱落しないように保持する。
【００５５】
この実施形態では、途中の横板により支柱の脱落を防止するロック機構を構成するようにしても、第１実施形態と同様の効果を得ることができる。またこのようなロック機構を設けたことにより、安心して模型を取り扱うことができる。
【００５６】
〔第３実施形態〕
図２６は、図１との対比により、本発明の第３実施形態の模型を示す斜視図である。この模型７１は、台座部分７２にタワー本体７３が組み立てられる。ここで台座部分７２は、略矩形形状による金属板材７２Ｕ及び７２Ｌの各コーナーに、円柱形状による脚部７２Ａを配置して形成され、これら金属板材７２Ｕ及び７２Ｌがほぼ平行に保持される。台座部分７２は、この金属板材７２Ｕ及び７２Ｌのうちの上側の金属板材７２Ｕに、タワー本体７３を配置するためのスリットが設けられる。
【００５７】
タワー本体７３は、第１展望台から下側の部分においては、上述の実施形態と同様に、上方より見て１２０度の角間隔により３本の主支柱７５Ａ、７５Ｂ、７５Ｃが配置され、さらに各主支柱７５Ａ、７５Ｂ、７５Ｃの間には、それぞれ２本の副支柱７８Ａ〜７８Ｆ、１本の副支柱７９Ａ〜７９Ｃが配置される。タワー７１は、これらの支柱７５Ａ〜７５Ｃ、７８Ａ〜７８Ｆ、７９Ａ〜７９Ｃのうちの主支柱７５Ａ〜７５Ｃについて、台座部分７２の金属板材７２Ｕにスリットが設けられ、このスリットにより主支柱７５Ａ〜７５Ｃが直接台座部分７２に保持される。また他の支柱７８Ａ〜７８Ｆ、７９Ａ〜７９Ｃは、主支柱７５Ａ〜７５Ｃに比して台座部分７２側が短くなるように形成され、主支柱７５Ａ〜７５Ｃを介して台座部分７２に保持される。
【００５８】
ここで、図３及び図１８との対比により示す図２７は、主支柱７５Ａ〜７５Ｃを示す平面図である。主支柱７５Ａ〜７５Ｃは、この模型７１の対象物である建築物に関して、第１展望台までの垂直方向の輪郭構造である支柱構造と第１展望台の輪郭とを表現する柱材である。なお主支柱７５Ａ〜７５Ｃは、板状部材を加工して同一形状により形成される。主支柱５Ａ〜５Ｃは、先端側に向かうに従って徐々に幅狭となる帯状に形成され、台座部分７２側端に、金属板材７２Ｕの対応するスリットに差し込む突片１０が設けられる。これにより主支柱７５Ａ〜７５Ｃは、この突片１０を対応するスリットに差し込んで、外方に変位しないように台座部分７２に保持される。
【００５９】
ここでこの突片１０には、縦方向に並んで、２つの貫通孔１０Ａ及び１０Ｂが設けられる。主支柱７５Ａ〜７５Ｃは、突件１０を金属板材７２Ｕの対応するスリットに差し込むと、この２つの貫通孔１０Ａ及び１０Ｂが金属板材７２Ｕの裏面側に露出するように構成される。主支柱７５Ａ〜７５Ｃは、この裏面側に露出する貫通孔１０Ａ及び１０Ｂにそれぞれ板材をネジにより固定し、この板材を利用して突片を裏面側に充分に引き込んだ後、この板材に係るネジを増し締めして板材が可動しないようにし、これにより金属板材７２Ｕからの脱落を防止して金属板材７２Ｕに保持される。
【００６０】
主支柱７５Ａ〜７５Ｃは、上方に延長する内側の１辺に、一定のピッチで、スリット１１Ａ１、１１Ａ２、…、１１Ａ３２、１１Ａ３３が設けられる。ここでスリット１１Ａ１、１１Ａ２、…、１１Ａ３２、１１Ａ３３は、後述する横板１４Ａ１〜１４Ａ３３を配置するために使用される。また主支柱７５Ａ〜７５Ｃは、第１展望台の外形形状に対応するように上端側が外方に広がるように形成され、部分的に拡大して示すように、その上端に突片５２Ａが設けられる。主支柱７５Ａ〜７５Ｃは、この外方に広がる部位の内側にスリットが設けられ、第一展望台にも横板が配置される。
【００６１】
図４及び図５、図１９及び図２０との対比により示す図２８及び図２９は、それぞれ副支柱７８Ａ〜７８Ｆ、７９Ａ〜７９Ｃを示す平面図である。副支柱７８Ａ〜７８Ｆ、７９Ａ〜７９Ｃは、主支柱７５Ａ〜７５Ｃと同様に、第１展望台までの垂直方向の支柱構造を、第１展望台の輪郭と共に表現する柱材である。副支柱７８Ａ〜７８Ｆ、７９Ａ〜７９Ｃは、主支柱７５Ａ〜７５Ｃと同様に、板状部材を加工してそれぞれ同一形状により形成され、先端側に向かうに従って徐々に幅狭となる帯状に形成される。また台座部分７２側端は、主支柱７５Ａ〜７５Ｃに比して短くなるように形成され、内側に順次横板を配置するスリット１１Ａ２、…、１１Ａ３２、１１Ａ３３が設けられる。
【００６２】
図２８（Ｃ）及び図２９（Ｃ）に示すように、副支柱７８Ａ〜７８Ｆ、７９Ａ〜７９Ｃのスリット１１Ａ２、…、１１Ａ３２、１１Ａ３３のうちで、副支柱７８Ａ〜７８Ｆ、７９Ａ〜７９Ｃで共通する最も台座部分７２側のスリット１１Ａ４には、台座部分７２側において、副支柱７８Ａ〜７８Ｆ、７９Ａ〜７９Ｃの外方への変位を防止して、副支柱７８Ａ〜７８Ｆ、７９Ａ〜７９Ｃの脱落を防止するロック機構が設けられる。
【００６３】
ここでこのロック機構に関して、スリット１１Ａ４は、奥側より手前側に向かって徐々に幅広に作製され、入り口の部分に、内側に突出する突起７６が設けられる。これに対応して図６〜図８との対比により図３０に示すように、このスリット１１Ａ４に配置される横板７４Ａ４は、主支柱７５Ａ〜７５Ｃのスリット１１Ａ４に噛み合わされるスリット１６Ａ〜１６Ｃに加えて、副支柱７８Ａ〜７８Ｆ、７９Ａ〜７９Ｃのスリット１１Ａ４に噛み合わされるスリット１７Ａ〜１７Ｆ、１８Ａ〜１８Ｃが設けられる。横板７４Ａ４は、これらのスリット１６Ａ〜１６Ｃ、１７Ａ〜１７Ｆ、１８Ａ〜１８Ｃのうち、副支柱７８Ａ〜７８Ｆ、７９Ａ〜７９Ｃに係るスリット１７Ａ〜１７Ｆ、１８Ａ〜１８Ｃにおいて、スリット１７Ａ〜１７Ｆ、１８Ａ〜１８Ｃの根元側が斜めに切り起こされ、突起７６に噛み合う段差が設けられる。
【００６４】
これにより図３１に示すように、副支柱７８Ａ〜７８Ｆ、７９Ａ〜７９Ｃは、このスリット１１Ａ４、スリット１７Ａ〜１７Ｆ、１８Ａ〜１８Ｃに係るロック機構により外方に変位しないように、横板７４Ａ４、主支柱７５Ａ〜７５Ｃを介して台座部分７２に保持される。タワー本体７３は、このようにして外方に変位しないように保持された支柱７５Ａ〜７５Ｃ、７８Ａ〜７８Ｆ、７９Ａ〜７９Ｃにより、第１及び第２実施形態について上述したと同様にして横板を保持して作製される。なお支柱７５Ａ〜７５Ｃ、７８Ａ〜７８Ｆ、７９Ａ〜７９Ｃは、上端側については、第２実施形態について上述したと同様のロック機構により外方に変位しないように保持される。
【００６５】
図３２は、このように３種類の支柱７５Ａ〜７５Ｃ、７８Ａ〜７８Ｆ、７９Ａ〜７９Ｃを異なる長さにより作製して構成される、タワー本体７３の下側端の部位を示す図である。タワー本体７３は、主支柱７５Ａ〜７５Ｃにそれぞれ裏板８０が配置され、この裏板８０が主支柱７５Ａ〜７５Ｃと共に金属板材７２Ｕに設けられたスリットに配置される。また各裏板８０は、上側端の端面が隣接する裏板８０と当接し、これらにより各主支柱７５Ａ〜７５Ｃからの脱落が防止される。また裏板８０は、それぞれ横板を差し込むスリットが設けられ、これによりこのスリットと、主支柱７５Ａ〜７５Ｃのスリットにより横板７４Ａ１、７４Ａ２、…が順次配置される。
【００６６】
図２３との対比により示す図３３は、タワー本体７３の第１展望台の個所を示す図である。この実施形態では、横板５５Ａ１１及び５５Ａ１２により示すように、第２実施形態について上述したと同様のロック機構が設けられる。またさらに各支柱７５Ａ〜７５Ｃ、７８Ａ〜７８Ｆ、７９Ａ〜７９Ｃ（図２７（Ｂ）〜図２９（Ｂ））は、上側端の突起５２Ａ、５２Ｂ、５２Ｃの先端が、横板の１枚分以上、突出するように形成され、ロック機構においては、第２実施形態について上述した構成に係る横板５５Ａ１２の上側に、さらに横板８２が設けられる。このロック機構は、この横板８２に設けられたスリットに、各支柱７５Ａ〜７５Ｃ、７８Ａ〜７８Ｆ、７９Ａ〜７９Ｃの突起５２Ａ、５２Ｂ、５２Ｃの先端を差し込んで、矢印Ａにより示すように、スポット溶接により直下の横板５５Ａ１２に横板８２を固定して、ロックを解除する方向への横板５５Ａ１２の変位を防止する。
【００６７】
なおこの模型７１では、両端部にネジ止め穴を設けた円柱状の部材により最上部のアンテナ部分に係る柱材が形成され、この円柱状に部材にさらにリング状の部材が順次配置されてアンテナ部分が作製される。この実施形態に係る模型７１は、これらの構成を除いて上述した第１及び第２実施形態と同一に構成される。
【００６８】
この第３実施形態によれば、副支柱７８Ａ〜７８Ｆ、７９Ａ〜７９Ｃの下側端を、横板７４Ａ４、主支柱７５Ａ〜７５Ｃを介して台座部分７２に保持するようにして、主支柱７５Ａ〜７５Ｃと共に外方に変位しないように副支柱７８Ａ〜７８Ｆ、７９Ａ〜７９Ｃを保持するようにしても、第１及び第２実施形態と同様の効果を得ることができる。
【００６９】
〔他の実施形態〕
なお上述の実施形態では、本発明の実施に好適な具体的な構成を詳述したが、本発明は、本発明の趣旨を逸脱しない範囲で、上述の実施形態の構成を種々に変更等することができる。
【００７０】
すなわち上述の第１実施形態においては、第１展望台に配置される上から２番目の横板２０Ａ１１のみを、上部構造体に係る柱材と下部構造体に係る柱材とで共通の端部の保持部材として使用する場合について述べたが、本発明はこれに限らず、他の横板の１つ又は複数をこのような共通の端部の保持部材に適用しても良い。
【００７１】
また上述の実施形態においては、模型を上下で２分割してそれぞれ横板と柱材とにより組み立てる場合について述べたが、本発明はこれに限らず、必要に応じて分割を省略しても良く、さらには分割数を増大させても良い。また、模型を複数の部分に分割し、これらを接続して組み立てる場合、複数の部分が互いに接続した後に分割することを防止するロック機構を設けても良い。この場合、ロック機構は、全ての接続箇所に設けてもよいし、一部の接続箇所のみに設けても良い。
【００７２】
また上述の第２実施形態では、横板に形成した開口の突部をかみ合わせて支柱の脱落を防止すると共に、さらにその上に配置する横板により支柱の脱落を防止する場合について述べたが、本発明はこれに限らず、これら２段のロック機構のうちの一方のみを採用しても良く、さらにはこれら以外の各種のロック機構を採用して支柱の脱落を防止しても良い。
【００７３】
また上述の実施形態においては、垂直方向に細長い建築物の模型に本発明を適用する場合について述べたが、本発明はこれに限らず、水平方向に広がる建築物の模型等に、さらには建築物以外の各主の模型に広く適用することができる。
【符号の説明】
【００７４】
１、７１  模型
２、７２  台座部分
２Ｒ、１５Ｒ、１０Ａ、１０Ｂ  貫通孔
２ｕ、７２ｕ  上端面
３、７３  タワー本体
４Ａ〜４Ｃ、６Ａ〜６Ｆ、７Ａ〜７Ｃ、１１Ａ１〜１１Ａ４３、１６Ａ〜６Ｃ、１７Ａ〜１７Ｆ、１８Ａ〜１８Ｃ、２１、２２、２５Ａ１〜２５Ａ１８、２７、２８、３１  スリット
５Ａ〜５Ｃ  ８Ａ〜８Ｆ、９Ａ〜９、２３、４５Ａ〜４５Ｃ、４８Ａ〜４８Ｆ、４９Ａ〜４９Ｃ、６４、７５Ａ〜７５Ｃ、７８Ａ〜７８Ｆ、７９Ａ〜７９Ｃ  支柱
１０、１２、２４、２４Ａ、５９Ａ〜５９Ｃ  突片
１４Ａ１〜１４Ａ３３、２６Ａ１〜２６Ａ１、３０、５５Ａ１〜５５Ａ１２、７４Ａ１〜７４Ａ６、８２  横板
２０Ａ１〜２０Ａ１２  展望台部材
５２Ａ〜５２Ｃ  突起
２２Ａ、５３、５６Ａ〜５６Ｃ、５７Ａ〜５７Ｆ、５８Ａ〜５８Ｃ  開口
【図１】
2013165920.tif 000003
【図２】
2013165920.tif 000004
【図３】
2013165920.tif 000005
【図４】
2013165920.tif 000006
【図５】
2013165920.tif 000007
【図６】
2013165920.tif 000008
【図７】
2013165920.tif 000009
【図８】
2013165920.tif 000010
【図９】
2013165920.tif 000011
【図１０】
2013165920.tif 000012
【図１１】
2013165920.tif 000013
【図１２】
2013165920.tif 000014
【図１３】
2013165920.tif 000015
【図１４】
2013165920.tif 000016
【図１５】
2013165920.tif 000017
【図１６】
2013165920.tif 000018
【図１７】
2013165920.tif 000019
【図１８】
2013165920.tif 000020
【図１９】
2013165920.tif 000021
【図２０】
2013165920.tif 000022
【図２１】
2013165920.tif 000023
【図２２】
2013165920.tif 000024
【図２３】
2013165920.tif 000025
【図２４】
2013165920.tif 000026
【図２５】
2013165920.tif 000027
【図２６】
2013165920.tif 000028
【図２７】
2013165920.tif 000029
【図２８】
2013165920.tif 000030
【図２９】
2013165920.tif 000031
【図３０】
2013165920.tif 000032
【図３１】
2013165920.tif 000033
【図３２】
2013165920.tif 000034
【図３３】
2013165920.tif 000035